(57)【要約】【課題】本発明は、省スペースで、係止部分が外れることもない組立函を提供する。【解決手段】底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを各々連設し、該側面板（２０、２０）と該側面板（３０、３０）との間に、斜めの谷折り線（ｄ、ｄ、ｄ、ｄ）により２分された第二製函片（２４、２４、２４、２４）を各々連設して、前記製函片（２３、２３、２３、２３）と前記左右の第二側面板（３０、３０）の前後方向の両端部と前記前後の第一押さえ板（２２、２２）と前記底面板（１０）の前後方向の両端部にノンスリップコート部（b）を各々設けたことを特徴とする組立函である。【選択図】図１
2005239208.tif 000002
【特許請求の範囲】
【請求項１】
底面板の周辺に、左右に第一製函片を有し、上辺に第一押さえ板を有する第一側面内板を連設した前後の第一側面板と左右の第二側面板とを折り目線を介して各々連設して、この前後の第一側面板と左右の第二側面板との間に、斜めの谷折り線により２分された第二製函片を折り目線を介して各々連設して、この第二製函片を函の内方になるように谷折りして起立させるとともに前後の第一側面板と第一側面内板との間に各々折り込み、前記第一側面内板の左右の第一製函片を外側に折り曲げて、左右の第二側面板に各々当接し、前記前後の第一側面内板の上辺の第一押さえ板を外側に折り曲げて、底面板に各々当接し、上面を開放した組立函において、前記第一製函片と前記左右の第二側面板が相対する当接面、および前記前後の第一押さえ板と前記底面板が相対する当接面に、係止機能を有するノンスリップコート部を各々設けたことを特徴とする組立函。
【請求項２】
請求項１記載の組立函において、前記左右の第二側面板の内、いずれか一方の第二側面板の端縁に折り目線を介して、左右に第一フラップ片と、先端に第二フラップ片を有する天面板を連設して、前記左右の第二側面板の内、前記天面板と連設していない第二側面板の長手方向端縁中央部に凹部を設け、該天面板と前記第二フラップ片との連設部に係止突起を設けて、連続面として形成された蓋部を有することを特徴とする組立函。
【請求項３】
請求項１記載の組立函において、前記左右の第二側面板の内、いずれか一方の第二側面板の端縁に折り目線を介して天面板を連設し、該天面板の上辺に左右に第三製函片を有し、先端に第二押さえ板を有する第二側面内板を折り目線を介して連設した第三側面板と左右の第四側面板とを折り目線を介して各々連設して、前記第三側面板と前記左右の第四側面板との間に、斜めの谷折り線により２分された第四製函片を折り目線を介して各々連設して、前記第二押さえ板と前記左右の第三製函片および前記左右の第四製函片と前記左右の第四側面板とを連設している折り目線の該左右の第四側面板側下端部と前記第三側面板と前記天面板とを連設している折り目線の該天面板側の下端部に係止機能を有するノンスリップコート部を各々設けて、連続面として形成された蓋部を有することを特徴とする組立函。
【請求項４】
前記ノンスリップコート部に使用する材料は、ノンスリップインキ、接着性のある液剤のいずれか１種または混合物であることを特徴とする請求項１乃至３のいずれか１項記載の組立函。
【発明の詳細な説明】
【技術分野】
【０００１】
本発明は、商品を包装する身と蓋用の組立函に関するものであり、さらに詳しくは、省スペースでコストが安く、簡単に組み立てができ、特に新しい設備も不必要であり、また組み立てた際の折込み部分の跳ね上がりを防止することによって、輸送中の振動や展示、販売中の取り扱いなどで係止部分が外れることもない贈答用商品などの包装に使用する身と蓋用の組立函に関するものである。
【背景技術】
【０００２】
従来においては、贈答用商品などの包装に使用する身と蓋用の組立函は、図７に示すように、底面板（１０）の周辺に、上辺に第一押さえ板（２２、２２）を有する第一側面内板（２１、２１）を連設した前後の第一側面板（２０、２０）と、上辺に第三押さえ板（３２、３２）を有する第三側面内板（３１、３１）を連設した、左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、連続面として形成されたブランクａを作製し、このブランクａの第二製函片（２４、２４、２４、２４）を函の内方になるように谷折りして起立させるとともに前後の第一側面板（２０、２０）と第一側面内板（２１、２１）との間に各々折り込み、前記前後の第一側面内板（２１、２１）上辺の第一押さえ板（２２、２２）を外側に折り曲げて前記底面板（１０）に各々当接し、前記左右の第三側面内板（３１、３１）上辺の第三押さえ板（３２、３２）を外側に折り曲げて該底面板（１０）に各々当接し、上面を開放した組立函が一般的に使用されている。
【０００３】
また、その他の形状としての組立函は、図８に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と上辺に糊代片（３３、３３）を有する左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された、第二製函片（２４、２４、２４、２４）を折り目線を介して各々連設して、連続面として形成されたブランクａを作製し、このブランクａの前記糊代片（３３、３３）に糊を塗布して糊塗布層ｅを各々設け、該糊代片（３３、３３）を内側に折り曲げて、左右の第二側面板（３０、３０）に重ね合せて各々接着してから、このブランクａの第二製函片（２４、２４、２４、２４）を函の内方になるように谷折りして起立させるとともに前後の第一側面板（２０、２０）と第一側面内板（２１、２１）との間に各々折り込み、前記前後の第一側面内板（２１、２１）上辺の第一押さえ板（２２、２２）を外側に折り曲げて前記底面板（１０）に各々当接し、前記第一側面内板（２１、２１）の左右の第一製函片（２３、２３、２３、２３）を外側に折り曲げて、左右の第二側面板（３０、３０）に重ね合せられている糊代片（３３、３３）に各々当接し、上面を開放した組立函である。
【発明の開示】
【発明が解決しようとする課題】
【０００４】
以上のように、従来のこれらの組立函は、複雑であるために組み立てにかなりの手間を必要とし、生産コストが高くなり、また１枚のブランクの使用面積も大きく、材料コストも高くなる。
【０００５】
また、両側面の糊貼りを行う場合には、その糊貼りを別工程で行う必要があるため生産
コストがますます高くなる問題がある。
【０００６】
本発明は、このような従来技術の問題点を解決しようとするものであり、省スペースでコストが安く、簡単に組み立てが可能で、特に新しい設備も不必要であり、また組み立てた際の折込み部分の跳ね上がりが防止されているので輸送中の振動や展示、販売中の取り扱いなどで係止部分が外れることもない贈答用商品などの包装に使用する身と蓋用の組立函を提供することを目的としているものである。
【課題を解決するための手段】
【０００７】
本発明は、上記の課題を解決するために成されたものであり、本発明の請求項１に係る発明は、底面板（１０）の周辺に、左右に第一製函片（２３、２３、２３、２３）を有し上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、この第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、上面を開放した組立函において、前記第一製函片（２３、２３、２３、２３）と前記左右の第二側面板（３０、３０）が相対する当接面、および前記前後の第一押さえ板（２２、２２）と前記底面板（１０）が相対する当接面に、係止機能を有するノンスリップコート部（b）を各々設けたことを特徴とする組立函である。
【０００８】
本発明の請求項２に係る発明は、請求項１記載の組立函において、前記左右の第二側面板（３０、３０）の内、いずれか一方の第二側面板（３０）の端縁に折り目線を介して、左右に第一フラップ片（４１、４１）と、先端に第二フラップ片（４２）を有する天面板（４０）を連設して、前記左右の第二側面板（３０、３０）の内、前記天面板（４０）と連設していない第二側面板（３０）の長手方向端縁中央部に凹部（ｆ）を設け、該天面板（４０）と前記第二フラップ片（４２）との連設部に係止突起（ｇ）を設けて、連続面として形成された蓋部を有することを特徴とする組立函である。
【０００９】
本発明の請求項３に係る発明は、請求項１記載の組立函において、前記左右の第二側面板（３０、３０）の内、いずれか一方の第二側面板（３０）の端縁に折り目線を介して天面板（５０）を連設し、該天面板（５０）の上辺に左右に第三製函片（６３、６３）を有し、先端に第二押さえ板（６２）を有する第二側面内板（６１）を折り目線を介して連設した第三側面板（６０）と左右の第四側面板（５１、５１）とを折り目線を介して各々連設して、前記第三側面板（６０）と前記左右の第四側面板（５１、５１）との間に、斜めの谷折り線（ｄ、ｄ）により２分された第四製函片（５２、５２）を折り目線を介して各々連設して、前記第二押さえ板（６２）と前記左右の第三製函片（６３、６３）および前記左右の第四製函片（５２、５２）と前記左右の第四側面板（５１、５１）とを連設している折り目線の該左右の第四側面板（５１、５１）側の下端部と前記第三側面板（６０）と前記天面板（５０）とを連設している折り目線の該天面板（５０）側の下端部に係止機能を有するノンスリップコート部（b）を各々設けて、連続面として形成された蓋部を有することを特徴とする組立函である。
【００１０】
本発明の請求項４に係る発明は、請求項１乃至３のいずれか１項記載の組立函において前記ノンスリップコート部（b）に使用する材料は、ノンスリップインキ、接着性のある
液剤のいずれか１種または混合物であることを特徴とする組立函である。
【発明の効果】
【００１１】
本発明は、底面板の周辺に、左右に第一製函片を有し、上辺に第一押さえ板を有する第一側面内板を連設した前後の第一側面板と左右の第二側面板とを折り目線を介して各々連設して、この前後の第一側面板と左右の第二側面板との間に、斜めの谷折り線により２分された第二製函片を折り目線を介して各々連設して、この第二製函片を函の内方になるように谷折りして起立させるとともに前後の第一側面板と第一側面内板との間に各々折り込み、前記第一側面内板の左右の第一製函片を外側に折り曲げて、左右の第二側面板に各々当接し、前記前後の第一側面内板の上辺の第一押さえ板を外側に折り曲げて、底面板に各々当接し、上面を開放した組立函において、前記第一製函片と前記左右の第二側面板が相対する当接面、および前記前後の第一押さえ板と前記底面板が相対する当接面に、係止機能を有するノンスリップコート部を各々設けたことにより、省スペースでコストが安く、簡単に組み立てが可能で、特に新しい設備も不必要であり、また組み立てた際の折込み部分の跳ね上がりが防止されているので輸送中の振動や展示、販売中の取り扱いなどで係止部分が外れることもない贈答用商品などの包装に使用する身と蓋用の組立函を提供することができるものである。
【発明を実施するための最良の形態】
【００１２】
本発明の実施の形態を図１から図６に基づいて詳細に説明する。
【００１３】
図１は本発明に係る組立函のブランクの１実施例を示す平面図であり、図２は本発明に係る組立函の１実施例を示す斜視図であり、図３は本発明に係る組立函の第一製函片（２３）と第二側面板（３０）に設けられたノンスリップコート部（ｂ）同士の係止状態を示す部分拡大断面図であり、図４は本発明に係る組立函の第一押さえ板（２２）と底面板（１０）に設けられたノンスリップコート部（ｂ）同士の係止状態を示す部分拡大断面図であり、図５は本発明に係る組立函のブランクの他の実施例を示す平面図であり、図６は本発明に係る組立函のブランクのまた他の実施例を示す平面図である。
【００１４】
本発明の組立函のブランクａは、図１に示すように、底面板（１０）の周辺に、左右に第一製函片（２３、２３、２３、２３）を有し、上辺に第一押さえ板（２２、２２）を有する第一側面内板（２１、２１）が連設された前後の第一側面板（２０、２０）と左右の第二側面板（３０、３０）とが折り目線を介して各々連設されている。
【００１５】
次に、この前後の第一側面板（２０、２０）と左右の第二側面板（３０、３０）との間に、斜めの谷折り線（ｄ、ｄ、ｄ、ｄ）により、２分された第二製函片（２４、２４、２４、２４）が折り目線を介して各々連設されている。
【００１６】
次に、前記第一製函片（２３、２３、２３、２３）と前記左右の第二側面板（３０、３０）の前後方向の両端部にノンスリップコート部（ｂ）を各々設けている。
【００１７】
同様に、前記前後の第一押さえ板（２２、２２）と前記底面板（１０）の前後方向の両端部にノンスリップコート部（ｂ）を各々設けている。
【００１８】
このようなブランクａを、図２に示すように、第一側面内板（２１、２１）の左右の第一製函片（２３、２３、２３、２３）を外側に折り曲げて、左右の第二側面板（３０、３０）に当接することにより、折り曲げた紙の反発力から、該第一製函片（２３、２３、２３、２３）の裏面と該第二側面板（３０、３０）の裏面同士が当接し密着する力が働くと共に、当接面がノンスリップコート部（ｂ）になっているので、摩擦や粘着力によって、より一層の係止力が働き、組立函の形状を保持することが完全になる。
【００１９】
このように本発明は、組み立てた函の折込み部分の跳ね上がりを完全に防止するために前述したように、前記第一製函片（２３、２３、２３、２３）と前記左右の第二側面板（３０、３０）の前後方向の両端部にノンスリップコート部（ｂ）を各々設けている。
【００２０】
同様に、前記前後の第一押さえ板（２２、２２）と前記底面板（１０）の前後方向の両端部にノンスリップコート部（ｂ）を各々設けている。
【００２１】
以上のように、ノンスリップコート部（ｂ）を設けることにより、ブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、上面を開放した組立函を作製した時に、前記第一製函片（２３、２３、２３、２３）と前記左右の第二側面板（３０、３０）が相対する当接面、および前記前後の第一押さえ板（２２、２２）と前記底面板（１０）が相対する当接面に係止機能が働き完全に形状を保持することができるようになる。
【００２２】
さらに詳しくは、図３に示すように、第一製函片（２３）と第二側面板（３０）に塗布された各々のノンスリップコート部（ｂ）同士が当接し、摩擦や粘着力が働き、折込み部分のズレをなくし、跳ね上がりを防止する働きをしているので組立函の形状を完全に保持することが可能になる。
【００２３】
同様に、図４に示すように、第一押さえ板（２２）と底面板（１０）に塗布された各々のノンスリップコート部（ｂ）同士が当接し、摩擦抵抗力や粘着力が働き、折込み部分のズレをなくし、跳ね上がりを防止する働きをしているので組立函の形状を完全に保持することが可能になる。
【００２４】
このノンスリップコート部（ｂ）に使用する材料は、ノンスリップインキ、接着性のある液剤のいずれか１種または混合物を使用することができる。
【００２５】
ノンスリップインキとしては、例えば、炭酸カリウム、硫酸バリウムなどのスリップ防止剤を配合したインキやワニスを使用することができる。
【００２６】
また、天然ゴム系およびアクリル樹脂を主体とした溶剤型、アクリルエマルジョンを主体とした水性型、ＥＶＡ（エチレン・酢酸ビニル共重合体）、ＳＢＳ（スチレン・ブタジェン・スチレン共重合体）、ＳＩＳ（スチレン・イソプレン・スチレン共重合体）などの樹脂エラストマーを主体としたホットメルト型の粘着剤などを配合したインキやワニスを使用することができる。
【００２７】
このノンスリップインキやワニスを使用して、ノンスリップコート部（ｂ）を設ける方法には、オフセット印刷方式、グラビア印刷方式、シルクスクリーン印刷方式、フレキソ印刷方式などが使用できる。
【００２８】
次に、該ノンスリップコート部（ｂ）に使用する材料が接着性のある液剤の場合は、例えば、乾いた状態では、他の物と接着しないが液剤面同士を合わせると接着するものであれば、その液剤は特に制約されるものではない。
【００２９】
例えば、前記液剤が天然ゴム系溶剤型、天然ゴム系無溶剤型、アクリル系溶剤型、アク
リル系エマルジョン型、ホットメルト系などの擬似接着性がある粘着剤を使用する場合や強粘着タイプ（永久接着するタイプ）や、弱粘着タイプ（再剥離性タイプ、非転着性タイプ）などがあるが、ブランクａ状態の時には、他の物と接着しないで組み立て時に粘着面同士が指圧程度で擬似接着し、組立函にした使用後の廃棄処理の際の組立函解体においては容易に接着面が剥離するような粘着剤が好ましい。
【００３０】
これら接着性のある液剤や粘着剤を使用して、ノンスリップコート部（ｂ）を設ける方法には、グラビアロールコーティング方式、リバースロールコーティング方式などのコーティング方式を使用することができる。
【００３１】
組立函の材質は、コートボール、マニラボールなどの板紙、該板紙にポリエチレンなどの合成樹脂やアルミニウム箔などを貼合したラミネート板紙、マイクロフルート、Ｅフルートなどの段ボール、ポリプロピレン樹脂、アクリル樹脂などの合成樹脂シートを適宜使用することができる。
【００３２】
以上のように、本発明は、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、この第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、上面を開放した組立函において、前記第一製函片（２３、２３、２３、２３）と前記左右の第二側面板（３０、３０）が相対する当接面、および前記前後の第一押さえ板（２２、２２）と前記底面板（１０）が相対する当接面に、係止機能を有するノンスリップコート部（b）を各々設けることにより、省スペースでコストが安く、簡単に組み立てができ、特に新しい設備も不必要であり、また組み立てた際の折込み部分の跳ね上がりが防止されているので輸送中の振動や展示、販売中の取り扱いなどで係止部分が外れることもない贈答用商品などの包装に使用する身と蓋用の組立函を提供することができるものである。
【００３３】
次に、応用例として、図５に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設して、この第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、上面を開放した組立函において、前記第一製函片（２３、２３、２３、２３）と前記左右の第二側面板（３０、３０）が相対する当接面、および前記前後の第一押さえ板（２２、２２）と前記底面板（１０）が相対する当接面に、係止機能を有するノンスリップコート部（ｂ）を各々設けてなる身の部分と前記左右の第二側面板（
３０、３０）の内、いずれか一方の第二側面板（３０）の端縁に折り目線を介して、左右に第一フラップ片（４１、４１）と先端に第二フラップ片（４２）を有する天面板（４０）を連設して、前記左右の第二側面板（３０、３０）の内、前記天面板（４０）と連設していない第二側面板（３０）の長手方向端縁中央部に凹部（ｆ）を設け、該天面板（４０）と前記第二フラップ片（４２）との連設部に係止突起（ｇ）を設けて、連続面として形成された蓋部を有する組立函である。
【００３４】
更に、図６に示すように、底面板（１０）の周辺に、左右に第一製函片（２３、２３、２３、２３）を有し、上辺に第一押さえ板（２２、２２）を有する第一側面内板（２１、２１）を連設した前後の第一側面板（２０、２０）と左右の第二側面板（３０、３０）とを折り目線を介して各々連設して、この前後の第一側面板（２０、２０）と左右の第二側面板（３０、３０）との間に、斜めの谷折り線（ｄ、ｄ、ｄ、ｄ）により、２分された第二製函片（２４、２４、２４、２４）を折り目線を介して各々連設して、この第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し上面を開放した組立函において、前記第一製函片（２３、２３、２３、２３）と前記左右の第二側面板（３０、３０）が相対する当接面、および前記前後の第一押さえ板（２２、２２）と前記底面板（１０）が相対する当接面に、係止機能を有するノンスリップコート部（ｂ）を各々設けてなる身の部分と前記左右の第二側面板（３０、３０）の内，いずれか一方の第二側面板（３０）の端縁に折り目線を介して天面板（５０）を連設し、該天面板（５０）の上辺に左右に第三製函片（６３、６３）を有し、先端に第二押さえ板（６２）を有する第二側面内板（６１）を折り目線を介して連設した第三側面板（６０）と左右の第四側面板（５１、５１）とを折り目線を介して各々連設して、前記第三側面板（６０）と、前記左右の第四側面板（５１、５１）との間に、斜めの谷折り線（ｄ、ｄ）により２分された第四製函片（５２、５２）を折り目線を介して各々連設して、前記第二押さえ板（６２）と前記左右の第三製函片（６３、６３）および前記左右の第四製函片（５２、５２）と前記左右の第四側面板（５１、５１）とを連設している折り目線の該左右の第四側面板（５１、５１）側の下端部と前記第三側面板（６０）と前記天面板（５０）とを連設している折り目線の該天面板（５０）側の下端部に係止機能を有するノンスリップコート部（b）を各々設けて、連続面として形成された蓋部を有することを特徴とする組立函である。
【００３５】
このように図５および図６に示すような応用例の場合も、省スペースでコストが安く、簡単に組み立てができ、特に新しい設備も不必要であり、また組み立てた際の折込み部分の跳ね上がりが防止されているので輸送中の振動や展示、販売中の取り扱いなどで係止部分が外れることもない贈答用商品などの包装に使用する身と蓋が一体化した組立函を提供することができるものである。
【００３６】
以下に、本発明の具体的実施例を挙げて、さらに詳しく説明する。
【実施例１】
【００３７】
本発明の組立函のブランクａは、坪量が３１０ｇ／ｍ2のコートマニラボールを使用し、図１に示すように、底面板（１０）の周辺に、左右に第一製函片（２３、２３、２３、２３）を有し、上辺に第一押さえ板（２２、２２）を有する第一側面内板（２１、２１）が連設された前後の第一側面板（２０、２０）と左右の第二側面板（３０、３０）とを折り目線を介して各々連設した。
【００３８】
次に、この前後の第一側面板（２０、２０）と左右の第二側面板（３０、３０）との間に、斜めの谷折り線（ｄ、ｄ、ｄ、ｄ）により２分された、第二製函片（２４、２４、２４、２４）を折り目線を介して各々連設した。
【００３９】
次に、前記第一製函片（２３、２３、２３、２３）の裏面全体と前記左右の第二側面板（３０、３０）の裏面の前後方向の両端部に炭酸カリウムのスリップ防止剤を配合したインキを使用してノンスリップコート部（ｂ）を各々設けた。
【００４０】
尚、該左右の第二側面板（３０、３０）の裏面の前後方向の両端部に設けた、該ノンスリップコート部（ｂ）の形状と面積は、ブランクａを組み立てた時の前記第一製函片（２３、２３、２３、２３）が該左右の第二側面板（３０、３０）に相対する同一の当接面形状と面積にした。
【００４１】
同様に、前記前後の第一押さえ板（２２、２２）と前記底面板（１０）の前後方向の両端部にノンスリップコート部（ｂ）を各々設けた身（仕上がり寸法で長さ１１０ｍｍ×幅９０ｍｍ×高さ２７ｍｍ）と蓋（仕上がり寸法で長さ１１５ｍｍ×幅９３ｍｍ×高さ２７ｍｍ）用の各々のブランクａを作製した。
【００４２】
次に、図２に示すように、各々の前記ブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、ノンスリップコート部（ｂ）同士を完全に係止した上面を開放した身と蓋用の組立函を作製した。
【００４３】
この組立函を使用して身と蓋をセットにした贈答函に菓子を入れ、輸送中の振動や展示、販売中の取り扱いなどで係止部分が外れるか否かの実験を行った結果、組み立てた折込み部分の戻りもなく、係止部分が外れる問題は全く発生しなかった。
【実施例２】
【００４４】
本発明の組立函は、マイクロフルートからなる段ボールを使用した以外は、実施例１と同様にして身と蓋用の組立函を作製した。
【００４５】
この組立函を使用して身と蓋をセットにした贈答函に菓子を入れ、輸送中の振動や展示販売中の取り扱いなどで係止部分が外れるか否かの実験を行った結果、組み立てた折込み部分の戻りもなく、係止部分が外れる問題は全く発生しなかった。
【実施例３】
【００４６】
本発明の組立函は、Ｅフルートからなる段ボールを使用した以外は、実施例１と同様にして身と蓋用の組立函を作製した。
【００４７】
この組立函を使用して身と蓋をセットにした贈答函に菓子を入れ、輸送中の振動や展示販売中の取り扱いなどで係止部分が外れるか否かの実験を行った結果、組み立てた折込み部分の戻りもなく、係止部分が外れる問題は全く発生しなかった。
【実施例４】
【００４８】
本発明の組立函は、坪量が３１０ｇ／ｍ2のコートマニラボールを使用し、アクリル系溶剤型粘着剤を使用してノンスリップコート部（ｂ）を設けた以外は、実施例１と同様にして身と蓋用の組立函を作製した。
【００４９】
この組立函を使用して身と蓋をセットにした贈答函に菓子を入れ、輸送中の振動や展示販売中の取り扱いなどで係止部分が外れるか否かの実験を行った結果、組み立てた折込み部分の戻りもなく、係止部分が外れる問題は全く発生しなかった。
【実施例５】
【００５０】
本発明の組立函は、マイクロフルートからなる段ボールを使用し、アクリル系溶剤型粘着剤を使用してノンスリップコート部（ｂ）を設けた以外は、実施例１と同様にして身と蓋用の組立函を作製した。
【００５１】
この組立函を使用して身と蓋をセットにした贈答函に菓子を入れ、輸送中の振動や展示販売中の取り扱いなどで係止部分が外れるか否かの実験を行った結果、組み立てた折込み部分の戻りもなく、係止部分が外れる問題は全く発生しなかった。
【実施例６】
【００５２】
本発明の組立函は、Ｅフルートからなる段ボールを使用し、アクリル系溶剤型粘着剤を使用してノンスリップコート部（ｂ）を設けた以外は、実施例１と同様にして身と蓋用の組立函を作製した。
【００５３】
この組立函を使用して身と蓋をセットにした贈答函に菓子を入れ、輸送中の振動や展示販売中の取り扱いなどで係止部分が外れるか否かの実験を行った結果、組み立てた折込み部分の戻りもなく、係止部分が外れる問題は全く発生しなかった。
【実施例７】
【００５４】
本発明の組立函のブランクａは、坪量が３１０ｇ／ｍ2のコートマニラボールを使用し図５に示すように、底面板（１０）の周辺に、左右に第一製函片（２３、２３、２３、２３）を有し、上辺に第一押さえ板（２２、２２）を有する第一側面内板（２１、２１）が連設された前後の第一側面板（２０、２０）と左右の第二側面板（３０、３０）とを折り目線を介して各々連設した。
【００５５】
次に、この前後の第一側面板（２０、２０）と左右の第二側面板（３０、３０）との間に、斜めの谷折り線（ｄ、ｄ、ｄ、ｄ）により２分された、第二製函片（２４、２４、２４、２４）を折り目線を介して各々連設した。
【００５６】
次に、前記第一製函片（２３、２３、２３、２３）の裏面全体と前記左右の第二側面板（３０、３０）の裏面の前後方向の両端部に炭酸カリウムのスリップ防止剤を配合したインキを使用してノンスリップコート部（ｂ）を各々設けた。
【００５７】
尚、該左右の第二側面板（３０、３０）の裏面の前後方向の両端部に設けた、該ノンスリップコート部（ｂ）の形状と面積は、ブランクａを組み立てた時の前記第一製函片（２３、２３、２３、２３）が該左右の第二側面板（３０、３０）に相対する同一の当接面形状と面積にした。
【００５８】
同様に、前記前後の第一押さえ板（２２、２２）と前記底面板（１０）の前後方向の両端部にノンスリップコート部（ｂ）を各々設けた身となる部分を作製した。
【００５９】
次に、前記左右の第二側面板（３０、３０）の内、右側の第二側面板（３０）の右端に折り目線を介して、左右に第一フラップ片（４１、４１）と、先端に第二フラップ片（４２）を有する天面板（４０）を連設し、前記左右の第二側面板（３０、３０）の内、前記天面板（４０）と連設していない左側の第二側面板（３０）の長手方向端縁中央部に凹部
（ｆ）を設けて、該天面板（４０）と前記第二フラップ片（４２）との連設部に係止突起（ｇ）を設けて、連続面として形成された蓋となる部分を作製した。
【００６０】
このような身と蓋部を一体化したブランクａの第二製函片（２４、２４、２４、２４）を函の内方になるように谷折りして起立させるとともに前後の第一側面板（２０、２０）と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、ノンスリップコート部（ｂ）同士を完全に係止した身となる部分を作製した。
【００６１】
次に、天面板（４０）と、該天面板（４０）の左右に折り目線を介して連設された第一フラップ片（４１、４１）、および先端に連設された第二フラップ片（４２）を各々内側に折り曲げて被せ蓋を作製し、身と蓋を一体化した組立函を作製した。
【００６２】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例８】
【００６３】
本発明の組立函は、マイクロフルートからなる段ボールを使用した以外は、実施例７と同様にして身と蓋を一体化した組立函を作製した。
【００６４】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例９】
【００６５】
本発明の組立函は、Ｅフルートからなる段ボールを使用した以外は、実施例７と同様にして身と蓋を一体化した組立函を作製した。
【００６６】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例１０】
【００６７】
本発明の組立函は、坪量が３１０ｇ／ｍ2のコートマニラボールを使用し、アクリル系溶剤型粘着剤を使用してノンスリップコート部（ｂ）を設けた以外は、実施例７と同様にして身と蓋を一体化した組立函を作製した。
【００６８】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例１１】
【００６９】
本発明の組立函は、マイクロフルートからなる段ボールを使用し、アクリル系溶剤型粘着剤を使用してノンスリップコート部（ｂ）を設けた以外は、実施例７と同様にして身と蓋を一体化した組立函を作製した。
【００７０】
この被せ蓋付き組立函を使用した贈答函に菓子を入れ、輸送中の振動や展示、販売中の
取り扱いなどで身となる懸止部分が外れるか否かの実験を行った結果、組み立てた折込み部分の戻りもなく、身となる係止部分が外れる問題は全く発生しなかった。
【実施例１２】
【００７１】
本発明の組立函は、Ｅフルートからなる段ボールを使用し、アクリル系溶剤型粘着剤を使用してノンスリップコート部（ｂ）を設けた以外は、実施例７と同様にして身と蓋を一体化した組立函を作製した。
【００７２】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例１３】
【００７３】
本発明の組立函のブランクａは、坪量が３１０ｇ／ｍ2のコートマニラボールを使用し、図６に示すように、底面板（１０）の周辺に、左右に第一製函片（２３、２３、２３、２３）を有し、上辺に第一押さえ板（２２、２２）を有する第一側面内板（２１、２１）が連設された前後の第一側面板（２０、２０）と左右の第二側面板（３０、３０）とを折り目線を介して各々連設した。
【００７４】
次に、この前後の第一側面板（２０、２０）と左右の第二側面板（３０、３０）との間に、斜めの谷折り線（ｄ、ｄ、ｄ、ｄ）により２分された第二製函片（２４、２４、２４、２４）を折り目線を介して各々連設した。
【００７５】
次に、前記第一製函片（２３、２３、２３、２３）の裏面全体と前記左右の第二側面板（３０、３０）の裏面の前後方向の両端部に炭酸カリウムのスリップ防止剤を配合したインキを使用してノンスリップコート部（ｂ）を各々設けた。
【００７６】
尚、該左右の第二側面板（３０、３０）の裏面の前後方向の両端部に設けた、該ノンスリップコート部（ｂ）の形状と面積は、ブランクａを組み立てた時の前記第一製函片（２３、２３、２３、２３）が該左右の第二側面板（３０、３０）に相対する同一の当接面形状と面積にした。
【００７７】
同様に、前記前後の第一押さえ板（２２、２２）と前記底面板（１０）の前後方向の両端部にノンスリップコート部（ｂ）を各々設けた身となる部分を作製した。
【００７８】
次に、前記左右の第二側面板（３０、３０）の内、右側の第二側面板（３０）の右端に折り目線を介して天面板（５０）を連設し、該天面板（５０）の上辺に左右に第三製函片（６３、６３）を有し、先端に第二押さえ板（６２）を有する第二側面内板（６１）を折り目線を介して連設した第三側面板（６０）と左右の第四側面板（５１、５１）とを折り目線を介して各々連設して、前記第三側面板（６０）と前記左右の第四側面板（５１、５１）との間に、斜めの谷折り線（ｄ、ｄ）により２分された第四製函片（５２、５２）を折り目線を介して各々連設して、前記第二押さえ板（６２）と前記左右の第三製函片（６３、６３）および前記左右の第四製函片（５２、５２）と前記左右の第四側面板（５１、５１）とを連設している折り目線の該左右の第四側面板（５１、５１）側の下端部と前記第三側面板（６０）と前記天面板（５０）とを連設している折り目線の該天面板（５０）側の下端部に係止機能を有するノンスリップコート部（b）を各々設けて、連続面として形成された蓋となる部分を作製した。
【００７９】
このような身と蓋部を一体化したブランクａの第二製函片（２４、２４、２４、２４）を函の内方になるように谷折りして起立させるとともに前後の第一側面板（２０、２０）
と第一側面内板（２１、２１）との間に各々折り込み、前記第一側面内板（２１、２１）の左右の第一製函片（２３、２３、２３、２３）を外側に折り曲げて、左右の第二側面板（３０、３０）に各々当接し、前記前後の第一側面内板（２１、２１）の上辺の第一押さえ板（２２、２２）を外側に折り曲げて、底面板（１０）に各々当接し、ノンスリップコート部（ｂ）同士を完全に係止した身となる部分を作製した。
【００８０】
次に、第四製函片（５２、５２）を函の内方になるように谷折りして起立させるとともに第三側面板（６０）と第二側面内板（６１）との間に折り込み該第二側面内板（６１）の左右の第三製函片（６３、６３）を外側に折り曲げて左右の第四側面板（５１、５１）に当接し、同様に前記第二側面内板（６１）の先端の第二押さえ板（６２）を外側に折り曲げて、天面板（５０）に当接し、ノンスリップコート部（ｂ）同士を完全に係止して被せ蓋を作製し、身と蓋を一体化した組立函を作製した。
【００８１】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身と蓋共に係止部分が外れる問題は全く発生しなかった。
【実施例１４】
【００８２】
本発明の組立函は、マイクロフルートからなる段ボールを使用した以外は、実施例１３と同様にして身と蓋を一体化した組立函を作製した。
【００８３】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例１５】
【００８４】
本発明の組立函は、Ｅフルートからなる段ボールを使用した以外は、実施例１３と同様にして身と蓋を一体化した組立函を作製した。
【００８５】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例１６】
【００８６】
本発明の組立函は、坪量が３１０ｇ／ｍ2のコートマニラボールを使用し、アクリル系溶剤型粘着剤を使用してノンスリップコート部（ｂ）を設けた以外は、実施例１３と同様にして身と蓋を一体化した組立函を作製した。
【００８７】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例１７】
【００８８】
本発明の組立函は、マイクロフルートからなる段ボールを使用し、アクリル系溶剤型粘着剤を使用してノンスリップコート部（ｂ）を設けた以外は、実施例１３と同様にして身と蓋を一体化した組立函を作製した。
【００８９】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【実施例１８】
【００９０】
本発明の組立函は、Ｅフルートからなる段ボールを使用し、アクリル系溶剤型粘着剤を使用してノンスリップコート部（ｂ）を設けた以外は、実施例１３と同様にして身と蓋を一体化した組立函を作製した。
【００９１】
この被せ蓋付き組立函を使用した贈答函に菓子を入れ、輸送中の振動や展示、販売中の取り扱いなどで身となる懸止部分が外れるか否かの実験を行った結果、組み立てた折込み部分の戻りもなく、身となる係止部分が外れる問題は全く発生しなかった。
【図面の簡単な説明】
【００９２】
【図１】本発明に係る組立函のブランクの１実施例を示す平面図である。
【図２】本発明に係る組立函の１実施例を示す斜視図である。
【図３】本発明に係る組立函の第一製函片と第二側面板に設けられたノンスリップコート部同士の係止状態を示す部分拡大断面図である。
【図４】本発明に係る組立函の第一押さえ板と底面板に設けられたノンスリップコート部同士の係止状態を示す部分拡大断面図である。
【図５】本発明に係る組立函のブランクの他の実施例を示す平面図である。
【図６】本発明に係る組立函のブランクのまた他の実施例を示す平面図である。
【図７】従来の組立函のブランクの１実施例を示す平面図である。
【図８】従来の組立函のブランクの他の実施例を示す平面図である。
【符号の説明】
【００９３】
１０・・・底面板
２０・・・第一側面板
２１・・・第一側面内板
２２・・・第一押さえ板
２３・・・第一製函片
２４・・・第二製函片
３０・・・第二側面板
３１・・・第三側面内板
３２・・・第三押さえ板
３３・・・糊代片
４０・・・天面板
４１・・・第一フラップ片
４２・・・第二フラップ片
５０・・・天面板
５１・・・第四側面板
５２・・・第四製函片
６０・・・第三側面板
６１・・・第二側面内板
６２・・・第二押さえ板
６３・・・第三製函片
ａ・・・ブランク
ｂ・・・ノンスリップコート部
ｄ・・・斜めの谷折り線（破線）
ｅ・・・糊塗布層
ｆ・・・凹部
ｇ・・・係止突起
【図１】
2005239208.tif 000003
【図２】
2005239208.tif 000004
【図３】
2005239208.tif 000005
【図４】
2005239208.tif 000006
【図５】
2005239208.tif 000007
【図６】
2005239208.tif 000008
【図７】
2005239208.tif 000009
【図８】
2005239208.tif 000010